(57)【要約】      （修正有）【課題】記録媒体（ＭＯ．ＭＤ、ＦＭ、ＣＤ，ＤＶＤ）等の最小スペース保管と、どのようなファイル、バインダー類にも取り付け可能で、其の記録媒体及びカードが簡単に脱着でき、記録媒体に傷がつかず、脱落しないファイリングシートを提供する。【解決手段】基材シート２、の単体又は、貼り合わせの複合シート構成からなりシートに媒体１を包み込むように固定線３を２本以上入れその線の中に媒体１及びカードの端部を入れることで媒体１及びカードが固定でき、固定線３の固定線端部４は丸くするか、Ｃ形形状にすると固定線３が裂け防止と媒体１及びカードを抱え込む効果もある。シート自体やわらかく少しの力を入れると曲がりやすい為、１方向を挟み基材シート２を曲げて片方に挟み込めば媒体１及びカードの固定ができ脱落はしない。取り出すときも、摘みしろエリア５を媒体１及びカードの反対側に少し曲げる事で容易に取り外す事ができる。【選択図】図１
0003152204.tif 000002
【実用新案登録請求の範囲】
【請求項１】
紙、合成紙、皮革、合成樹脂、不織布等の単体シート及び貼り合せ複合シート材料で基材の総厚みが５０ミクロン〜３ｍｍ以内の基材シートを使用し、固定線と固定線端部から構成され、媒体の脱落がなく、ファイリングと媒体及びカードの脱着が容易であり、印刷、箔押し、プリント等が可能なファイリングシート形状
【請求項２】
請求項1の形状にエンボス等で粗面層をつけ、インレックス機能を施した形状
【考案の詳細な説明】
【技術分野】
【０００１】
記録媒体、名刺、はがき、カード等の保管及び脱着が容易な脱落防止ファイリングの分野である。
【背景技術】
【０００２】
従来は、ＣＤケースの様にプラスチックスの成型品か片面不職布シートと樹脂シートを抜き加工し、３方向をウエルダー加工で止め、１方向から出し入れするのが一般的である。保管は、CDケースの様に媒体の何倍もの厚みで保管するか、ファスナー付専用媒体入れケース等で保管するのが通常である。ファスナー付き専用ケースの入り口は上、横、綴じ方向の３種類あるが、上方向と横方向は入れやすいが脱落しやすく、閉じ方向は脱落しにくいが、出し入れが困難である。文房具用品で媒体専用ポケット入れがあるが、１ページに何枚か収納するポケット方式であり、脱落しにくい商品は出し入れが困難であり出し入れが容易な商品は脱落しやすい。専用ファイル以外に綴じる事は困難であり、書類と同じファイルに保管できない。従来商品は、加工工程もかなりかかり、型費、加工費が製品に転換され高価になっている。
【先行技術文献】
【特許文献】
【０００３】
【特許文献１】特許公開平９−７１０７７
【特許文献２】特許出願平１１−１２７６９３
【特許文献３】特許公開  ２００４−９６５６
【０００４】
特許文献１は、袋（カバー）状であり、クリアーファイルとクリアホルダーとポケットホルダーで脱落しない方法であるが、工法が明らかに違う
【０００５】
特許文献２は、紙製で焼却処理がし易く、ホルダ−の補充が可能な紙製ＣＤファイルであるが、当考案の脱落防止機能付及び書類と同ファイルに保管できる手法は明らかに相違点があり、新提案と言える。
【０００６】
特許文献３は、フィルムを使用する点と、脱落防止の目的は良く似ているが、シートを折り返したり、シートに切り込みを入れ、切り込みどうしをはさみ込む手法であり、本考案の媒体を直接はさみ込む考案と相違がある。
【考案の概要】
【考案が解決しようとする課題】
【０００７】
本考案の課題は、記録媒体（ＭＯ、ＭＤ、ＦＤ、ＣＤ、ＤＶＤ）及び名刺、はがき、カード等の最小スペース保管と、どのようなファイル、バインダー類にも取り付け可能で、其の媒体が簡単に脱着でき、傷、埃がつかない事と脱落しない事が課題である。
【課題を解決するための手段】
【０００８】
基材シートの総厚みが５０ミクロン以上から３ｍｍ以内の厚材を使用することで媒体の厚みと基材シートの厚みで、最小限の厚みにでき、最小スペース保管ができ、専用ファイルは勿論書類用のファイル又はバインダー等にファイリングできる。記録媒体は、傷がつきにくい処理が施している為、それより軟らかい材質を使えばキズが入らない。固定線を２本以上で挟み込むと、記録媒体及びカードの脱落は無く、基材シートに固定線を入れる事で、基材シート自体曲がり易く、簡単に脱着ができ脱落も防止できる事を兼ね備えた特徴のあるファイリングシートである。
【考案の効果】
【０００９】
本考案は、基材シートを薄くする事で、記録媒体及びカードと書類を同じページ又は次ページに保管でき便利であり保管場所もとらない。記録媒体及び名刺、はがき等カードの取り出し、収納が容易である。ファイルを無造作に扱っても、媒体の脱落が無くコンパクトに納まる為、持ち運び、移動が容易であり、傷、埃が付き難くシンプル工法で短時間にて生産ができ、単価メリットが非常に期待できる脱落防止機能付ファイリングシートである。
【図面の簡単な説明】
【００１０】
【図１】は、本考案の基材シート抜き加工説明平面、側面図である。
【図２】は、本考案の加工説明平面図である。
【考案を実施するための形態】
【００１１】
基材シート２に固定線３を２本以上入れ、記録媒体１又は、カードの端をはさみ込み固定すると、どの方向に傾けても脱落しない。はさみ込めば媒体１の一部分が基材シート２の裏面に出るが、基材シート２の厚みが５０ミクロン以上なので有り重なっても５０ミクロン以上浮き記録面に触れる事が無く影響は無い。書類と一緒にファイルでき、基材シート２を引くと容易にファイルから取り外す事が出来る。又、摘みしろエリア５を外側に少し曲げる事で媒体１及びカードの取り外しが容易にできる。収納が容易である脱落防止機能つきファイリングシートの形態である。
【実施例】
【００１２】
図1は、本考案の実施例であるが、基材シート２、の単体又は、貼り合わせの複合シート構成からなりシートに媒体１を包み込むように固定線３を２本以上入れその線の中に媒体１及びカードの端部を入れることで媒体１及びカードが固定でき、固定線３の固定線端部４は丸くするか、Ｃ形形状にすると固定線３が裂け防止と媒体１及びカードを抱え込む効果もある。シート自体やわらかく少しの力を入れると曲がりやすい為、１方向を挟み基材シート２を曲げって片方に挟み込めば媒体１及びカードの固定ができ脱落はしない。取り出すときも、摘みしろエリア５を媒体１及びカードの反対側に少し曲げる事で容易に取り外す事ができる。基材シート２を、折り曲げたり、熱を使用する必要性が無く、固定線３、固定線端部４、脱着溝６、ファイル穴部８、外形９（インレックス凸９、インレックス凹）と全アイテムを同時に抜き加工のみで加工できるため経済的である。本説明図１は、ファイル、バインダーの金具を外さなくても良い方法の脱着方法の例であるがその他従来どおりの穴の方法、貼り付け方法等により、ファイリング形状部７を挟み込の場合穴無しのフラット状態、穴方式なら穴形状、貼り付け形状ならば粘着付形状と変えることが出来るが、このままでも各種類のファイル又は、バインダーにファイリングできる。又、各ファイリング方法でも閉じたまま取り外し、取り付けが容易であり、脱落はしない。
【００１３】
図１は、ＣＤ、ＤＶＤ等円盤媒体１の例であるが、ＦＤ、ＭＯ等四角形状の場合も、記録媒体の形状が固定できる固定線3と固定線端部４の構成で固定すれば脱落はしない。
【００１４】
図2は本考案の実施例であるが、図1同様の固定線３と固定線端部４の構成で、媒体１及びカードの脱落が防止でき、脱着が容易である形状であるが、基材シート２にインレックス機能を付け、媒体１を素早く探せるようにした例題である。インレックスは摘みが出来るインレックス凸形９、はぬけ形状のインレックス凹形１０を付ければより便利である。当然従来の市販のインレックスを貼って探しやすくする方法でも良い。
【００１５】
図１、図２の基材シート２の表面が平滑の場合、媒体の記録面と基材シート２が熱又は圧力で付く易くなり、剥がし難い場合があるときは、基材シート２側にエンボス模様又は、印刷及び不織布等をつけると粗面層１２ができ、媒体１の記録面と基材シート２と密着しない。
【産業上の利用可能性】
【００１６】
媒体保管、各カードの保管、雑誌の折り込、会社案内（製品紹介）指導、教育アイテム、商品のプレゼン部品等
【符号の説明】
【００１７】
１、媒体
２、基材シート
３、固定線
４、固定線端部
５、摘みしろエリア
６、脱着講
７、ファイル形状部
８、ファイル穴部
９、インレックス凸形
１０、インレックス凹形
１１、外形
１２、粗面層
【図１】
0003152204.tif 000003
【図２】
0003152204.tif 000004